(57)【要約】【課題】熱容量を低減し、搭載基板の熱絶縁性の向上に注目し、搭載基板を短時間で定温化できる機能部品内蔵装置を提供する。【解決手段】機能部品内蔵装置は、熱絶縁材料を基材とする板状体１０と伝熱部材５と伝熱部材５に直接的または間接的に熱接触するように板状体１０に搭載された機能部品６とを有する搭載基板１と、搭載基板１を覆うと共に熱絶縁性を有するケース２と、ケース２に設けられ搭載基板１の伝熱部材５に熱接触して伝熱部材５を介して機能部品６を加熱または冷却する温度調整装置３と、ケース２により包囲されケース２の内壁面に対して空間を介して搭載基板１を離間させた状態で支持する支持部材４と、を具備する。【選択図】図１
2007123541.tif 000002
【特許請求の範囲】
【請求項１】
光学的または電気的な機能部品を有する搭載基板と前記搭載基板を内部に収容するケースとを具備する機能部品内蔵装置において、
前記搭載基板は、熱絶縁材料を基材とする板状体と前記板状体の表面またはその内部に設けられ前記機能部品に直接的または間接的に熱接触する伝熱部材とを有しており、前記ケースは、前記搭載基板を覆うと共に熱絶縁性を有する熱絶縁部を有しており、
前記搭載基板の前記伝熱部材に直接的又は間接的に熱接触して前記伝熱部材を介して前記機能部品を加熱または冷却する温度調整装置が設けられており、且つ、
前記ケースにより包囲され前記ケースの内壁面に対して空間を介して前記搭載基板を離間させた状態で支持する支持部材が設けられている機能部品内蔵装置。
【請求項２】
請求項１において、前記搭載基板は前記支持部材により前記ケースの底面から持ち上げられ、前記ケースの前記底面およびケースの天井面から離間した状態で配置されている機能部品内蔵装置。
【請求項３】
請求項１または２において、前記支持部材は、前記温度調整装置を搭載している機能部品内蔵装置。
【請求項４】
請求項３において、前記支持部材は、前記温度調整装置を介して前記搭載基板を支持している機能部品内蔵装置。
【請求項５】
請求項４において、前記温度調整装置は、前記伝熱部材に直接的又は間接的に熱接触する吸熱機能および放熱機能のうちの一方をもつ第１温度調整部と、前記第１温度調整部と反対側に位置し且つ吸熱機能および放熱機能のうちの他方をもつ第２温度調整部とをもつペルチェモジュールであり、
前記支持部材は、前記ペルチェモジュールの前記第２温度調整部に熱接触する伝熱部材である機能部品内蔵装置。
【請求項６】
請求項１〜４のうちのいずれか一項において、前記ケースは、熱絶縁性を有する第１ケースと、前記第１ケースに接続され前記第１ケースよりも伝熱性をもつ材料で形成された第２ケースとを有しており、
前記温度調整装置は、前記伝熱部材を冷却する吸熱部と、前記第２ケースに直接的または間接的に熱接触し且つ前記第２ケースを介して熱を放出する放熱部とをもつ機能部品内蔵装置。
【請求項７】
請求項１〜５のうちのいずれか一項において、前記ケースは、熱絶縁性を有する第１ケースと、前記第１ケースに接続され熱絶縁性をもつ第２ケースとを有しており、前記温度調整装置は、前記伝熱部材を加熱する加熱源である機能部品内蔵装置。
【請求項８】
請求項１〜５のうちのいずれか一項において、前記ケースは、熱絶縁性を有する第１ケースと、前記第１ケースに接続され第１ケースよりも伝熱性をもつ材料で形成された第２ケースとを有しており、前記温度調整装置は、前記伝熱部材を加熱する加熱源、または、前記伝熱部材を冷却する冷却源である機能部品内蔵装置。
【請求項９】
請求項１〜８のうちのいずれか一項において、前記搭載基板の前記伝熱部材は、前記搭載基板を厚み方向に貫通する貫通孔の内壁面に膜状に被覆された伝熱膜を有する機能部品内蔵装置。
【請求項１０】
請求項１〜９のうちのいずれか一項において、前記搭載基板の前記伝熱部材は、前記搭載基板を厚み方向に貫通する貫通孔に装填された伝熱体を有する機能部品内蔵装置。
【請求項１１】
請求項１〜１０のうちのいずれか一項において、前記伝熱部材は、前記搭載基板を厚み方向に貫通する貫通孔に前記搭載基板の第１面から対面する第１伝熱体と、前記搭載基板の第２面から前記貫通孔に対面し且つ前記第１伝熱体に直接的または間接的に熱接触する第２伝熱体とを有する機能部品内蔵装置。
【請求項１２】
請求項１〜１１のうちのいずれか一項において、前記搭載基板は、前記伝熱部材で形成された伝熱回路と導電材料で形成された電気回路とを併有する機能部品内蔵装置。
【請求項１３】
請求項１〜１２のうちのいずれか一項において、前記搭載基板に対して垂直な方向から視認する平面視において、前記温度調整装置は前記搭載基板の中心領域に配置されており、前記温度調整装置の回りに複数の前記機能部品が配置されている機能部品内蔵装置。
【請求項１４】
請求項１〜１３のうちのいずれか一項において、前記搭載基板に対して垂直な方向から視認する平面視において、前記温度調整装置は前記搭載基板の中心領域に配置されており、前記温度調整装置の回りに導光回路が配置されている機能部品内蔵装置。
【発明の詳細な説明】
【技術分野】
【０００１】
本発明はレーザダイオード等の光学部品、電気部品（電子部品を含む）等の機能部品をケース内に有する機能部品内蔵装置に関する。
【背景技術】
【０００２】
従来、特許文献１は、発熱性をもつ電子部品を搭載する基板をケース内にケース底面から浮かせた状態で配設するモジュールの放熱構造を開示している。このものでは、基板の内部に熱伝導層がプリント基板の面方向に沿って埋設されている。ケースは熱伝導材料であるアルミニウムで形成されている。電子部品が作動するときの熱は、プリント基板の熱伝導層を介してプリント基板の面方向にそって伝達し、ケースを介して外部に放出される。
【０００３】
特許文献２は、導波回路を搭載する基板を脚状の座によりステンレス鋼製のケースの内部に浮かせた状態で支持する導波路型光モジュールを開示している。このものでは、基板のうち導波回路と反対側の面に発熱体が設けられている。導波回路が温度依存性をもつときであっても、発熱体からの伝熱により導波回路の温度が定温に維持される。このため当該温度依存性が回避される。このものでは、ケースはステンレス鋼つまり金属で形成されている。
【０００４】
特許文献３は、発熱性素子を含む電気回路の熱を放出させる回路基板を開示している。このものでは、電気回路を包囲するパッケージが伝熱性が良好な金属材料などで形成されている。また、冷却機能を有する温度制御装置がパッケージの外側に設けられている。更に、回路基板にこれの厚み方向に貫通する熱伝導体が埋設されている。熱伝導体の一端は電気回路に熱接触する。熱伝導体の他端は温度制御装置に熱接触する。温度制御装置が冷却作動すると、電気回路の熱は熱伝導体を介して温度制御装置側に放出される。このものでは、電気回路を搭載する基板はパッケージに密着している。
【特許文献１】特開平７−３０７５８８号公報
【特許文献２】特開２００３−２８７６３１号公報
【特許文献３】特開平１０−２５６６８５号公報
【発明の開示】
【発明が解決しようとする課題】
【０００５】
上記した特許文献では、ケースは容積が大きいにもかかわらず、伝熱性が良好な材料（金属）で形成されており、装置の熱容量自体は大きい。
【０００６】
ところで、被加熱部材または被冷却部材である機能部品を短時間で作動温度に制御できることが要請されている。このため、上記した特許文献１によれば、基板の内部に設けられた熱伝導層とケースとを接続し、機能部品が発生した熱を基板内部の熱伝導層を介してケースに熱を逃がすことが行われている。
【０００７】
しかしながら、従来の方法では以下様な問題がある。即ち、基板の内部に設けられた熱伝導層に熱接触するケースは、放熱器として使用されているため、装置全体の熱容量が大きくなってしまう。この場合、伝熱性が良好なケースは放熱性を有するため、放熱効果を有するものの、装置が一度蓄熱されてしまうと、基板の温度を短時間に平衡化するのに時間がかかると言う問題がある。
【０００８】
更に、室温において装置の電源をONした場合でも、搭載基板の回路等の発熱でケース全体が−定になるまでの時間（温度の平衡化）がかかる。このため、光学機器等の機能部品では、光学的な各種特性が温度依存を受け、光学機器の光量が安定するまでの時間がかかるという問題がある。すなわち、ケースの熱容量に起因して、装置の性能が安定するまでの待ち時間が長時間かかるという問題がある。
【０００９】
本発明は上記した実情に鑑みなされたものであり、その課題は、熱容量をできるだけ低減すると共に搭載基板の熱絶縁性の向上を図り、搭載基板を短時間で定温化できる機能部品内蔵装置を提供することにある。
【課題を解決するための手段】
【００１０】
本発明に係る機能部品内蔵装置は、光学的または電気的な機能部品を有する搭載基板と搭載基板を内部に収容するケースとを具備する機能部品内蔵装置において、搭載基板は、熱絶縁材料を基材とする板状体と板状体の表面またはその内部に設けられ機能部品に直接的または間接的に熱接触する伝熱部材とを有しており、ケースは、搭載基板を覆うと共に熱絶縁性を有する熱絶縁部を有しており、
搭載基板の伝熱部材に直接的又は間接的に熱接触して伝熱部材を介して機能部品を加熱または冷却する温度調整装置が設けられており、且つ、ケースにより包囲されケースの内壁面に対して空間を介して搭載基板を離間させた状態で支持する支持部材が設けられている。
【００１１】
本明細書において『熱接触』とは伝熱容易に複数の部材が接触しているという意味である。『直接的または間接的に熱接触』とは、他の部材を介さずに複数の部材が伝熱可能に直接的に接触しているいう形態と、他の部材を介して複数の部材が伝熱可能に接触している形態とを含むという意味である。
【００１２】
搭載基板を覆うケースは熱絶縁性を有するため、ケース自体に伝熱される熱容量は小さくなる。また、搭載基板は、熱絶縁材料を基材とする板状体で形成されているため、熱絶縁性が高い。しかし搭載基板には、伝熱性が良好な伝熱部材が設けられている。そして搭載基板に搭載されている機能部品は、伝熱部材を介して加熱または冷却機能を有する温度調整装置に直接的または間接的に熱接触されている。従って、温度調整装置が作動すると、搭載基板の伝熱部材を介して搭載基板の機能部品は冷却または加熱される。従って温度調整装置により機能部品を温度調整するとき、熱時定数（温度制御の平衡温度に到達する時間）を小さくできる。この結果、本装置をON作動させてからスタンバイさせる待機時間を大幅に短縮することができる。ここで、平衡温度とはケース内の温度が安定温度に到達するまでの時間をいう。
【発明の効果】
【００１３】
本発明によれば、温度調整装置により機能部品を温度調整する熱時定数を小さくできる。温度制御の平衡温度に到達する時間を短縮することができる。この結果、本装置をON作動させてからスタンバイさせる待機時間を大幅に短縮することができる。
【発明を実施するための最良の形態】
【００１４】
機能部品内蔵装置の搭載基板は、板状体と伝熱部材と機能部品とを有する。板状体は熱絶縁材料を基材とする板状の部材をいう。伝熱部材は板状体の表面またはその内部に設けられている。伝熱部材はスルーホール構造でも良いし、非スルーホール構造でも良い。搭載基板は、伝熱部材以外の部位では、高い熱絶縁性をもつ。
【００１５】
機能部品は、板状体に搭載された光学的または電気的（電子的を含む）な素子であり、搭載基板の伝熱部材に直接的または間接的に熱接触する。光学的な素子としては、発光源、ミラー、ハーフミラー、導波回路（光ファイバを含む）が例示される。電気的な素子は、電気部品（電子部品を含み）であり、ダイオード、トランジスタ、抵抗、コイル、コンデンサ、スイッチング素子が例示される。
【００１６】
ケースは搭載基板を覆うものであり、熱絶縁性を有する熱絶縁部を有する。ケースの全部が熱絶縁性材料で形成されていても良い。あるいは、ケースの大部分が熱絶縁性材料で形成されているものの、ケースの一部が熱伝導性を有する材料で形成されていても良い。本明細書でいう熱絶縁性材料としては、樹脂、ガラス、セラミックス、木材が例示される。樹脂としては熱硬化性樹脂、熱可塑性樹脂が採用される。具体的には、エポキシ樹脂、フェノール樹脂、ポリイミド、ポリエーテルイミド、ポリアミド、ポリエステル、ポリスルフォンが例示される。セラミックスとしては、アルミナが例示される。
【００１７】
温度調整装置はケースに設けられており、ケース内に設けられていることが好ましい。温度調整装置は加熱および／または冷却する機能をもつ。温度調整装置は、搭載基板の伝熱部材に直接的又は間接的に熱接触して伝熱部材を介して機能部品を加熱または冷却する。温度調整装置としては発熱体、ペルチェモジュールが例示される。更に、極低温装置の冷却部が例示される。極低温装置はスターリング冷凍機、ギフォード・マクマホン（ＧＭ）冷凍機、パルス管冷凍機が例示される。この場合、極低温装置の冷却部がケースに組み込まれ、極低温装置の本体がケースの外方に配置されている形態が例示される。
【００１８】
支持部材はケースの内部に設けられて、ケースにより包囲されており、ケースの内壁面（底面および天井面）に対して空間を介して搭載基板を離間させた状態で支持する。支持部材の材料としては、本装置の熱容量を小さくするためには、樹脂、ガラス、セラミックスなどの熱絶縁性を有するものが好ましい。場合によっては、金属等のように伝熱性を有するものでも良い。
【００１９】
本発明の形態は次のように例示される。
【００２０】
・搭載基板は支持部材によりケースの底面から持ち上げられ、ケースの底面およびケースの天井面から離間した状態で配置されている形態が例示される。これにより搭載基板はケース内において空間に持ち上げられている。これにより搭載基板の伝熱部材の熱絶縁性が良好に確保され、伝熱部材に熱接触する機能部品を良好に冷却または加熱できる。
【００２１】
・支持部材は温度調整装置を搭載しており、温度調整装置を搭載基板の伝熱部材に直接的又は間接的に熱接触させている形態が例示される。この場合、搭載基板の機能部品を温度調整装置により良好に冷却または加熱できる。
【００２２】
・支持部材は、温度調整装置を介して搭載基板を支持している形態が例示される。この場合、温度調整装置を利用して搭載基板を保持できる。この場合、温度調整装置は、温度調整機能と、搭載基板を支持する機能とをもつ。
【００２３】
・ケースは、第１ケースと、第１ケースに接続された第２ケースとを有する形態が例示される。第１ケースおよび第２ケースの双方が熱絶縁性を有する形態が例示される。また第１ケースおよび第２ケースのうちの一方が熱絶縁性を有する形態が例示される。この場合、温度調整装置は、搭載基板の機能部品に熱接触する伝熱部材を冷却する吸熱部と、第２ケースに熱接触し且つ第２ケースを介して熱を放出する放熱部とをもつ形態が例示される。このような温度調整装置としてはペルチェモジュールが例示される。また、温度調整装置は、伝熱部材を加熱する放熱部をもつ形態が例示される。
【００２４】
・ケースは、熱絶縁性を有する第１ケースと、熱絶縁性をもつ第２ケースとを有する形態が例示される。この場合、温度調整装置は、搭載基板の機能部品に熱接触する伝熱部材を加熱する加熱源である形態が例示される。加熱源としては発熱体が例示される。この場合、第１ケースおよび第２ケースの双方が熱絶縁性を有するため、ケース内の搭載基板の熱絶縁性が高まり、搭載基板に搭載されている搭載部品を短時間に加熱できる。
【００２５】
・温度調整装置は、伝熱部材に直接的又は間接的に熱接触する吸熱機能および放熱機能のうちの一方をもつ第１温度調整部と、第１温度調整部と反対側に位置し且つ吸熱機能および放熱機能のうちの他方をもつ第２温度調整部とをもつペルチェモジュールである形態が例示される。この場合、支持部材は、ペルチェモジュールの第２温度調整部に熱接触する伝熱部材である形態が例示される。
【００２６】
・温度調整装置は、搭載基板の伝熱部材に直接的又は間接的に熱接触する吸熱部および放熱部をもつペルチェモジュールである形態が例示される。支持部材は、ペルチェモジュールの放熱部に熱接触し伝熱経路を形成する放熱器（伝熱部材）である形態が例示される。この場合、支持部材を放熱器として利用できる。温度調整装置はケース内に設けることができる。
【００２７】
・搭載基板の伝熱部材は、伝熱経路を搭載基板の表面又はその内部に配置して形成されている形態が例示される。この場合、搭載基板の表面又はその内部が伝熱経路として用いられる。
【００２８】
・搭載基板の伝熱部材は、搭載基板を厚み方向に伝熱する形態が例示される。この場合、伝熱部材が搭載基板の面方向に伝熱する場合に比較して、厚み方向に伝熱する伝熱部材の容積は小さくなる。従って伝熱部材の熱容量は小さくなり、本装置の熱時定数を小さくするのに有利である。
【００２９】
・搭載基板の伝熱部材は、搭載基板を厚み方向に貫通する貫通孔の内壁面に形成された伝熱膜（伝熱体）を有する形態が例示される。この場合、伝熱経路を搭載基板の厚み方向に形成できる。従って伝熱部材の熱容量は小さくなり、本装置の熱時定数を小さくするのに有利である。
【００３０】
・搭載基板の伝熱部材は、搭載基板を厚み方向に貫通する貫通孔に搭載基板の第１面から対面する第１伝熱体と、搭載基板の表面から貫通孔に対面し且つ第１伝熱体に直接的または間接的に熱接触する第２伝熱体とを有する形態が例示される。この場合、伝熱経路を搭載基板の厚み方向に形成できる。従って伝熱部材の熱容量は小さくなり、本装置の熱時定数を小さくするのに有利である。第１伝熱体および第２伝熱体は、搭載基板の貫通孔に装填された構造でも良いし、あるいは、搭載基板の貫通孔の内壁面に膜状に被覆された膜構造でも良い。
【００３１】
・搭載基板は、伝熱部材で形成された伝熱回路と、導電材料で形成された電気回路（電子回路を含む）とを併有する形態が例示される。この場合、電気回路を構成する電気的な機能部品を伝熱部材からの伝熱を介して温度調整することができる。
【００３２】
・搭載基板に対して垂直な方向から視認する平面視において、温度調整装置は搭載基板の中心領域に配置されており、温度調整装置の回りに複数の機能部品が配置されている形態が例示される。また、搭載基板に対して垂直な方向から視認する平面視において、温度調整装置は搭載基板の中心領域に配置されており、温度調整装置の回りに導光回路（例えば光ファイバ）が配置されている形態が例示される。この場合、温度調整装置は搭載基板の中心領域に配置されているため、搭載基板における等しい温度を示す等温線は、搭載基板の中心領域の回りに環状またはほぼ環状に形成される。従って、搭載基板の中心領域に回りに複数の機能部品を配置すれば、機能部品間における温度バラツキを低減しつつ、各機能部品が温度調整される。また、温度依存性が相対的に高い機能部品と、温度依存性が相対的に低い機能部品とが設けられているときには、温度依存性が相対的に高い機能部品を搭載基板の中心領域または中心領域に近い領域に配置し、且つ、温度依存性が相対的に低い機能部品を搭載基板の中心領域よりも遠い領域に配置することができる。この場合、温度依存性が相対的に高い機能部品を良好に温度調整できる。
【実施例１】
【００３３】
以下、本発明の実施例１について図１および図２を参照して説明する。本実施例は、温度調整装置として小型定温度ヒータを用い、本装置の環境温度（例えば10〜40℃）において被加熱部材である機能部品６（例えば光学部品、電気部品、電子部品）を、効率的に目標温度（例えば50℃）に制御する例を示す。機能部品内蔵装置は、搭載基板１と、ケース２と、温度調整装置３と、支持部材４とを備える。ケース２は、熱絶縁性を有する上箱形状のケース本体として機能する第１ケース２１（熱絶縁部）と、第１ケース２１に接続され熱絶縁性を有する底板として機能する第２ケース２２（熱絶縁部）とを有する。第１ケース２１は天井壁２１ｒと側面壁２１ｔとを有する。第１ケース２１および第２ケース２２は熱絶縁材料を基材とする。熱絶縁材料は樹脂を主要成分とする材料（ガラスエポキシ材）とされているが、木材、多孔質の硬質樹脂材、非伝熱性のセラミック材等を採用でき、要するに熱絶縁性が高いものであれば良い。
【００３４】
搭載基板１は機能部品６を搭載する基板であり、横方向に沿って配置された板状体１０と伝熱部材５と機能部品６とを有する。板状体１０は熱絶縁材料を基材とする。板状体１０を構成する熱絶縁材料は樹脂を主要成分とする材料（例えばガラスエポキシ材）とされているが、木材、多孔性硬質樹脂材、非伝熱性のセラミック材等の熱絶縁性が高いものであれば良い。機能部品６および温度調整装置３は、搭載基板１の表裏の関係に配置されており、つまり、搭載基板１を介して互いに逆の位置に配置されている。機能部品６は搭載基板１の上面側に、温度調整装置３は搭載基板１の下面に機能部品６に対向する位置に配置されている。この場合、機能部品６への伝熱効率（加熱効率）が高くなる。
【００３５】
伝熱部材５は、搭載基板１の厚み方向に伝熱経路を形成すべく、板状体１０の表面またはその内部に設けられている。伝熱部材５は搭載基板１において伝熱経路を形成するものであり、板状体１０を構成する熱絶縁材料よりも伝熱性が高い部材という意味である。伝熱部材５を構成する材料としては金属（例えば銅、銅合金、アルミニウム、アルミニウム合金、半田等）を採用できるが、伝熱性を有していれば、導電性を有していなくてもよい。例えば窒化珪素等の伝熱性が高いセラミックスを採用しても良い。搭載基板１の外縁１ｆは第１ケース２１の内壁面に接触していても、非接触でも良い。なお、接触している場合には、搭載基板１の拘束性を高めることができ、搭載基板１とケース２との一体性を高めることができる。非接触の場合には、搭載基板１とケース２との間の熱伝達を更に小さくするのに有利となる。
【００３６】
図２に示すように、伝熱部材５は、搭載基板１を厚み方向に貫通する貫通孔１２に搭載基板１の第１面１ｒから対面する塊状の第１伝熱体５１と、搭載基板１の第２面１ｓ（表面）から貫通孔１２に対面するプレート状をなす第２伝熱体５２とを有する。第１伝熱体５１および第２伝熱体５２は伝熱性接着剤で互いに固定されている。これにより第１伝熱体５１および第２伝熱体５２は熱接触する。第１伝熱体５１は外径方向に延設されたストッパ機能をもつ鍔部５１ａをもつ。鍔部５１ａは搭載基板１の第１面１ｒに密接している。
【００３７】
第１伝熱体５１の鍔部５１ａの下面（伝熱面）には、温度調整装置として機能するヒータ３５（放熱部，発熱源）が接合材（例えば熱溶着シート）で接着されている。従ってヒータ３５は搭載基板１の第１面１ｒ（裏面，下面）に設けられている。鍔部５１ａは、ヒータ３５の幅サイズＢ２（図２参照）に適合するように外径方向に延設されている。これによりヒータ３５からの受熱効率が高められており、ヒータ３５からの加熱速度を高めることができる。ヒータ３５の幅サイズＢ２は機能部品１の幅サイズＢ１（図２参照）よりも大きくされている。これにより機能部品１の加熱速度を一層早めるのに有利となる。なお、ヒータ３５は所定の発熱能力（例えば最大5W）、所定のサイズ（例えば約10ミリメートル×10ミリメートル×5ミリメートル）をもつ市販品である。ヒータ３５は自己温度制御機能をもち、所定の温度範囲（例えば20〜110℃）において制御可能である。本実施例では、被加熱部材としての機能部品６の目標温度は、所定温度（例えば50℃）に設定されている。
【００３８】
図１に示すように、搭載基板１の下面側には、複数（２本または４本）の支持部材４（脚部）が取り付けられている。ここで、支持部材４と搭載基板１とは、取付ねじ４２（取付具）により接続されている。これにより搭載基板１はケース２の底面から持ちあがり、ケース２の底面および天井面に対して離間して非接触とされている。図１に示すように、支持部材４は、搭載基板１を持ち上げる柱状部４０と、柱状部４０に一体的な嵌合部４１とをもつ。嵌合部４１は、搭載基板１の嵌合孔１ｐに嵌合する。支持部材４はヒータ３５の外側に配置されている。なお、支持部材４の底面４ｂは第２ケース２２の底面に接着されていても良いし、載置されているだけでも良い。
【００３９】
支持部材４の材料は熱絶縁性材料であり、例えば、ガラスエポキシ材とされている。但し、木材、多孔性硬質樹脂材、非伝熱性のセラミック材等の熱絶縁性が高いものであれば良く、これらに限定されるものではない。被加熱部材としての機能部品６は、伝熱部材５のうち第２伝熱体５２の上面（伝熱面）に接合材（接着剤または半田付け）で取り付けられている。なお場合によっては、上記した構造とは逆にし、被加熱部材としての機能部品６を搭載基板１の第１面１ｒ（裏面）側に配置し、ヒータ３５を搭載基板１の第２面１ｓ（表面）側に取り付けても良い。なおケース２にコネクタ２５が保持されている。コネクタ２５は外部からヒータ３５に給電線（図示せず）を介して電流（一般的には直流電流）を供給するために接続されている。
【００４０】
次に本実施例の作用を述べる。本装置の周りの環境温度がある温度（例えば40℃）である場合には、本装置が使用されても、ヒータ３５が通電されていないと、ケース２の内部温度が環境温度付近の温度（例えば約47℃）で平衡に達し、目標温度（例えば50℃）に到達することができない。そこでヒータ３５に通電してこれを発熱させる。すると、ヒータ３５の設定温度が目標温度（例えば50℃）に設定されているときには、ケース２の内部温度が目標温度（例えば50℃）で一定温度になる。本装置の回りの環境温度が目標温度よりも低温（例えば15℃）である場合には、ケース２の内部温度が目標温度よりもかなり低温であるため、立ち上がりを速めるべく、ヒータ３５の発熱パワーを増加させた状態でヒータ３５を作動させることが好ましい。
【００４１】
また本実施例によれば、図１に示すように、搭載基板１はケース２内において支持部材４により持ち上げられ、第２ケース２２の底面および第１ケース２１の天井面から離間している。ここで、前述したようにケース２および支持部材４は熱絶縁性が高い材料で形成されている。このため、搭載基板１の伝熱部材５は、ケース２及び支持部材４の双方により熱絶縁されている。従って、搭載基板１の機能部品６はケース２及び支持部材４の双方に対して熱絶縁されている。基本的な伝熱経路は、ヒータ３５→伝熱部材５→機能部品６となる。搭載基板１の大部分およびケース２への熱伝達は無視できる。この結果、搭載基板１における伝熱経路は、搭載基板１の厚み方向とされている。搭載基板１の厚み方向に伝熱する経路であれば、伝熱距離が短くなり、温調時間の短縮化に有利となる。
【００４２】
上記した構成が採用されている本実施例によれば、本装置の熱容量は小さくなる。即ち、ヒータ３５により搭載基板１の伝熱部材５が加熱されるとき、伝熱部材５の熱は、搭載基板１の上面側の機能部品６に伝達され、機能部品６を加熱するものの、ケース２及び支持部材４に逃げない構造とされている。従って、ケース２のサイズが例えば20ミリメートル×100ミリメートル×7ミリメートルの場合には、本装置の電源がONにされたとき、被加熱部材である機能部品６の温度は、短時間（例えば約1〜2分）で目標温度（例えば50℃）に到達することができる。特に、第１伝熱体５１および第２伝熱体５２の材質として、伝熱性が良好な銅または銅合金を用いると、伝熱速度が速く、良好な結果が得られる。なお、ケース２のサイズは上記した値に限定されるものではない。
【００４３】
前記した従来技術に係る装置の場合には、搭載載基板１に搭載されている機能部品６の熱を金属製の大容積のケース２に放出する構造が採用されている。このため、装置全体の熱容量が大きくなる欠点がある。この点本実施例によれば、ケース２は熱絶縁材料を基材として形成されており、かつ、搭載基板１の伝熱部材５の断熱性が高い構造とされている。このため、本装置の熱容量は小さく、本装置の熱時定数が小さくなる。従って、温度制御の際に目標平衡温度に到達する時間が短縮される。従って、本装置に通電してからスタンバイまでの待機時間が大幅に短縮される。このため本装置を計測機器等の用途に幅広く活用することが期待される。
【実施例２】
【００４４】
図３は実施例２を示す。本実施例は実施例１と基本的には同一の構成、作用効果を有する。以下、相違する部分を中心として説明する。搭載基板１に設けられている伝熱部材５Ｂは、搭載基板１の貫通孔１２の軸芯方向の一方側に膜状に被覆された第１伝導膜５４と、貫通孔１２の軸芯方向の他方側に膜状に被覆された第２伝導膜５５と、貫通孔１２の内壁面１２ｉに膜状に被覆された第３伝導膜５６とを有する。従って伝熱部材５Ｂは、いわゆるスルーホールメッキ構造とされている。第１伝導膜５４はヒータ３５の加熱面３５ｆに直接的または間接的に熱接触している。第２伝導膜５５は機能部品６に直接的または間接的に熱接触している。ヒータ３５の熱は、第１伝導膜５４、第３伝導膜５６、第２伝導膜５５を経て搭載基板１の厚み方向に伝達され、更に機能部品６に伝達され、機能部品６を加熱する。この結果、搭載基板１における伝熱経路は、搭載基板１の厚み方向とされている。
【００４５】
ここで膜状の伝熱部材５Ｂは小さな容積をもつ。故に、膜状の伝熱部材５Ｂは熱容量は小さく、伝熱速度が速く、良好な結果が得られる。殊に、伝熱部材５Ｂとして銅箔（例えば厚み１０〜１００μｍ、例えば３５μｍ）を使うと、熱容量が低減するため、好ましい結果が得られる。なお貫通孔１２の数は特に限定されない。
【実施例３】
【００４６】
図４は実施例３を示す。本実施例は実施例１と基本的には同一の構成、作用効果を有する。以下、相違する部分を中心として説明する。ケース２Ｂの第１ケース２１は、熱絶縁性を有する熱絶縁材料で形成されている。しかと底板として機能する第２ケース２２は、第１ケース２１よりも伝熱性をもつ材料（例えば金属）で形成されている。
【００４７】
支持部材４は熱絶縁材料で形成されている。このため、第２ケース２２が金属（例えば銅、銅合金、アルミニウム、アルミニウム合金、鉄、鉄合金等）で形成されていたとしても、搭載基板１の伝熱部材５および機能部品６は、ケース２Ｂに対して熱絶縁されている。このように本実施例によれば、第１ケース２および支持部材４は熱絶縁材料を基材として形成されているため、搭載基板１の伝熱部材５の断熱性が高い構造とされている。このため、本装置の熱容量が少なく、熱時定数が小さくなる。このため、温度制御の際に目標平衡温度に到達する時間が短縮される。従って、本装置に通電してからスタンバイまでの待機時間が大幅に短縮される。このため本装置を計測機器等の用途に幅広く活用することが期待される。
【実施例４】
【００４８】
図５および図６は実施例４を示す。本実施例は温度調整装置として小型ペルチェモジュール３１を用い、室温（例えば10〜40℃）において被冷却部材（被伝熱部材）である機能部品６（例えば光学部品、電気部品）を効率的に一定温度（例えば25℃）に制御する場合を示す。ここでケース２Ｃは、熱絶縁性を有する熱絶縁材料で形成されたケース本体として機能する第１ケース２１と、第１ケース２１よりも伝熱性をもつ材料で形成された第２ケース２２とを有する。底板である第２ケース２２は金属で形成されている。
【００４９】
搭載基板１の基材である熱絶縁材料としては、例えば、ガラスエポキシ材とされているが、木材、多孔性硬質樹脂材、非伝熱性のセラミック材等としても良い。伝熱部材５Ｃは、図６に示すように、搭載基板１の厚み方向に貫通する貫通孔１２の下側において伝熱材料で形成された鍔状の第１伝熱体５１と、搭載基板１の貫通孔１２の上側において伝熱材料で形成された鍔状の第２伝熱体５２と、搭載基板１の貫通孔１２に装填された柱形状の第３伝導体５３とを有する。この結果、搭載基板１における伝熱経路は、搭載基板１の厚み方向とされている。
【００５０】
ペルチェモジュール３１（例えば10W）は搭載基板１の下方に配置されており、ペルチェ素子３０と、ペルチェ素子３０の上側に設けられた吸熱部として機能できる第１温度調整部３２と、ペルチェ素子３０の下側に設けられた放熱部として機能できる第２温度調整部３３とを有する。ペルチェモジュール３１の低温側となる吸熱部として機能できる第１温度調整部３２は、伝熱部材５Ｃの下側の第１伝導体５１に密着されている。ペルチェモジュール３１の高温側となる放熱部として機能できる第２温度調整部３３は、第２ケース２２の底面である放熱面２２ｃに密着されている。ここで機能部品６の目標温度は所定温度（例えば25℃）に設定されている。なお吸熱部として機能できる第１温度調整部３２の温度を検出する温度センサ３８（例えばサーミスタ）が設けられている。
【００５１】
搭載基板１は、熱絶縁性をもつ複数（２本）の支持部材４（脚）により第２ケース２２の放熱面２２ｃに取付ねじ４２（取付具）を介して着脱可能に取り付けられている。従って搭載基板１は、第２ケース２２の放熱面２２ｃから熱絶縁状態で、持ち上げられている。被伝熱部材である機能部品６は、伝熱部材５Ｃの第２伝熱体５２に接合材（接着剤または半田付け）で密着するように取り付けられている。なお、コネクタ２５は外部からペルチェモジュール３１に電源を供給するために、ケース２の第１ケース２１に一体的に取り付けられている。
【００５２】
次に本実施例の作用を述べる。夏場等のように本装置が所定温度（例えば２５℃）よりも高くなっているときにおいて、本装置の電源がONされると、ペルチェモジュール３１が作動し、ペルチェモジュール３１の吸熱部として機能できる第１温度調整部３２が冷却される。このため伝熱部材５Ｃを介して搭載基板１の機能部品６が吸熱される。ペルチェモジュール３１の放熱部として機能できる第２温度調整部３３の熱は、金属製の第２ケース２２を介して矢印Ｍ１方向に外部に向けて放出される。
【００５３】
また、ペルチェモジュール３１に流れる電流の向きを反転させることにより、吸熱部として機能できる第１温度調整部３２を放熱部として機能でき、放熱部として機能できる第２温度調整部３３を吸熱部に変えることができる。このため、冬場等のように本装置が所定温度よりも低くなっているときにおいて、本装置の電源がONされると、ペルチェモジュール３１が作動し、ペルチェモジュール３１の第１温度調整部３２が放熱部として機能する。このため伝熱部材５Ｃを介して搭載基板１の機能部品６が加熱される。このようにして搭載基板１の機能部品６を必要に応じて冷却したり、加熱したりすることができる。
【００５４】
本実施例においても、搭載基板１の伝熱部材５Ｃおよび機能部品６は、ケース２Ｃのうちかなりの体積を占める熱絶縁材料で形成されている第１ケース２１により熱絶縁されている。このため、本装置の熱容量は少なく、本装置の熱時定数が小さくなる。このため、機能部品６を冷却したり、加熱したりするときにおいて、目標平衡温度に到達する時間が短縮される。従って、本装置に通電してからスタンバイまでの待機時間が大幅に短縮される。このため本装置を計測機器等の用途に幅広く活用することが期待される。
【実施例５】
【００５５】
図７は実施例５を示す。本実施例によれば、伝熱部材５Ｄは、ペルチェモジュール３１の搭載基板１の下面において伝熱材料（例えば銅箔経路）で膜状に被覆された第１伝熱膜５４と、搭載基板１の上面において伝熱材料（例えば銅箔経路）で被覆された第２伝熱膜５５と、搭載基板１の厚み方向に貫通する貫通孔１２の内壁面１２ｉに被覆された第３伝導膜５６とを有する。従って伝熱部材５Ｄはスルーホールメッキとされている。このため伝熱部材５Ｄの熱容量が少なくなり、温度制御の際に目標平衡温度に到達する時間が短縮される。従って、本装置に通電してからスタンバイまでの待機時間が大幅に短縮される。
【実施例６】
【００５６】
図８および図９は実施例６を示す。本実施例によれば、図８に示すように、ケース２Ｅはケース本体として機能する第１ケース２１（熱絶縁部）と、底板として機能する第２ケース２２とを有する。第１ケース２１は、熱絶縁性を有する熱絶縁材料（例えばガラスエポキシ材）で形成された上箱として機能する。第２ケース２２は、底板として機能するように第１ケース２１に接続されており、第１ケース２１よりも伝熱性をもつ材料で形成されている。第２ケース２２は、伝熱性（放熱性）を有するように金属（例えばアルミニウム、アルミニウム合金、銅、銅合金、鉄、鉄合金）で形成されている。なお第１ケース２１は外方に連通する通風口２１ｍと光導出口２１ｋとをもつ。第２ケース２２は金属製でありながらも、第１ケース２１は第２ケース２２よりも大容積および大表面積であるため、ケース２Ｅの熱絶縁性は高められている。
【００５７】
温度調整装置として機能するペルチェモジュール３１は、搭載基板１の下方においてケース２の内部に配置されている。ペルチェモジュール３１は、ペルチェ素子３０と、ペルチェ素子３０の上側に設けられた吸熱部として機能できる第１温度調整部３２と、ペルチェ素子３０の下側に設けられた放熱部として機能できる第２温度調整部３３とを備えている。搭載基板１に電気コネクタ２５が設けられており、第１ケース２１の孔２１ｉに嵌められている。
【００５８】
搭載基板１の第２面１ｓ（表面）には、レーザダイオード６０１（発光源）、波長分割多重化カップラーとも呼ばれるＷＤＭ６０２（光学部品）、導光回路として機能する光ファイバ６０３（６０３ａ〜６０３ｃ、光学部品）、レーザコリメータ６１０（光学部品）、反射鏡６１１（光学部品）、電気コネクタ２５（電気部品）といいった搭載部品として搭載されている。レーザダイオード６０１から連続光が発振されると、図９の構成により、短パルスに変換される。そして、出力部６１２から、パルスの時間間隔がフェムト秒の領域の短パルス光が出力される。
【００５９】
つまり、レーザダイオード６０１からの光（レーザビーム）は、光ファイバ６０３ａを矢印Ｘ１方向に透過してＷＤＭ６０２に至り、更に、光ファイバ６０３ｂを矢印Ｘ２方向に透過する。更に、光は、ミラー機能および光透過機能をもつＦＢＧ６０３を経て反射鏡６１１に至り、ＦＢＧ６０３と反射鏡６１１との間においてポンピングされる。更に、ポンピングされた光の一部は、矢印Ｘ３方向に透過してＷＤＭ６０２に至り、更に光ファイバ６０３ｃおよびレーザコリメータ６１０を矢印Ｘ４方向に透過し、短パルス光が出力部６１２から第１ケース２１の光導出口２１ｋを経て外部に出力される。
【００６０】
図８に示すように、伝熱部材５Ｅは、搭載基板１の第１面１ｒ（下面）に膜状に被覆された第１伝熱部材５１０（例えば厚み１０〜１００μｍ、殊に３５μｍ）と、搭載基板１の第２面１ｓ（表面）（上面）に膜状に被覆された第２伝熱部材５２０（例えば厚み１０〜１００μｍ、殊に３５μｍ）と、搭載基板１を厚み方向に貫通する貫通孔１２に膜状に被覆された第３伝導部材５３０（例えば厚み１０〜１００μｍ、殊に３５μｍ）とを備えている。伝熱部材５Ｅを構成する第１伝熱部材５１０、第２伝熱部材５２０および第３伝熱部材５３０は伝熱材料で形成されている。具体的には、銅箔、または、スズメッキを被覆した銅箔で形成されている。
【００６１】
図９に示すように、搭載基板１の第２面１ｓ（表面）に被覆された第２伝熱部材５２０は、辺５２０ａ、５２０ｂ、５２０ｃ、５２０ｄ、５２０ｅをもつ。レーザダイオード６０１およびＷＤＭ６０２の光学性能は温度依存性が高い光学部品である。このため、温度調整の応答性を高めるべく、レーザダイオード６０１およびＷＤＭ６０２は、半田付け等により第２伝熱部材５２０に熱接触されている。これによりレーザダイオード６０１およびＷＤＭ６０２の一定温度性が確保されている。
【００６２】
これに対して、レーザコリメータ６０１、反射鏡６１１および光ファイバ６０３の光学性能は、レーザダイオード６０１およびＷＤＭ６０２よりも温度依存性が少ない光学部品であり、このため第２伝熱部材５２０の外方において、汎用接着剤により搭載基板１の第２面１ｓ（表面）に固定されている。従って、レーザコリメータ６１０、反射鏡６１１および光ファイバ６０３は、第２伝熱部材５２０に接触していない。これらの部品は、ＷＤＭ６０２に比較して厳密な温度調整が必ずしも強く要請されていないためである。光ファイバ６０３は、ファイバ支持要素として機能する支持テープ６１５により搭載基板１に保持されている。これにより光ファイバ６０３の横ずれが回避されている。なお、支持テープ６１５は、搭載基板１のうち第２伝熱部材５２０が設けられていない部分に張り付けられている。従って図９に示すように光ファイバ６０３の大部分は、搭載基板１のうち第２伝熱部材５２０が設けられていない部分に配置されている。
【００６３】
図８に示すように、搭載基板１の下面側の第１伝熱部材５１０には、粘着材（例えばシリコングリース）を介してペルチェモジュール３１の吸熱部として機能できる第１温度調整部３２が密着されて配置されている。金属製の第２ケース２２の底面である放熱面２２ｃには、支持部材として機能できる金属塊状（例えばアルミニウムまたはアルミニウム合金、銅または銅合金）をなす放熱器４５が設けられている。なお、放熱器４５は第２ケース２２と一体でも良いし、別体でも良い。
【００６４】
放熱器４５の上面４５ｕには、ペルチェモジュール３１の放熱部として機能できる第２温度調整部３３が密着されて配置されている。この結果、放熱器４５は、ペルチェモジュール３１を介して搭載基板１を、第２ケース２２の底面である放熱面２２ｃから持ち上げた状態で支持している。従って放熱器４５は、搭載基板１の中心領域を持ち上げる支持部材として機能するため、放熱機能と支持機能とを兼務することができ、部品点数を削減できる。
【００６５】
更に放熱器４５の容積を増加すれば、放熱能を増加できると共に搭載基板１の支持強度を増加できる。なお、ペルチェモジュール３１の吸熱部として機能できる第１温度調整部３２からの漏れ熱量を遮断するため、ペルチェモジュール３１の吸熱部として機能できる第１温度調整部３２の外面側には断熱材（断熱スポンジ）４８が接着剤で固着されている。これによりペルチェモジュール３１の吸熱部として機能できる第１温度調整部３２の吸熱性が高められている。なお放熱器４５は側壁面４５ａをもつ。
【００６６】
また本実施例によれば、ペルチェモジュール３１に流れる電流の向きを反転させることにより、吸熱部として機能できる第１温度調整部３２を放熱部として機能させることもでき、放熱部として機能できる第２温度調整部３３を吸熱部に変えることができる。こ場合、冬場等のように本装置が所定温度よりも低くなっているときにおいて、本装置の電源がONされると、ペルチェモジュール３１が作動し、ペルチェモジュール３１の第１温度調整部３２が放熱部として機能する。このため伝熱部材５Ｃを介して搭載基板１の機能部品６が加熱される。このようにして搭載基板１の機能部品６を必要に応じて冷却したり、加熱したりすることができる。
【００６７】
図９は搭載基板１をこれの垂直方向から視認した平面視を示す。平面視において、レーザダイオード６０１と放熱器４５とは重合していない。これに対して平面視において、ＷＤＭ６０２と放熱器４５とは重合している。ＷＤＭ６０２の真下に、ペルチェモジュール３１の吸熱部として機能できる第１温度調整部３２および放熱器４５が配置されている。ＷＤＭ６０２の光学性能は温度依存性がより高いため、ＷＤＭ６０２を効率よく冷却するためである。
【００６８】
更に、図９において、温度調整装置としてのペルチェモジュール３１の吸熱部として機能できる第１温度調整部３２は、搭載基板１の中心領域に配置されている。従って、ペルチェモジュール３１の吸熱部として機能できる第１温度調整部３２の回りに各機能部品（レーザダイオード６０１，レーザコリメータ６１０，反射鏡６１１等）が配置されている。また、平面視でみると、ペルチェモジュール３１の吸熱部として機能できる第１温度調整部３２の回りに、つまり、搭載基板１の中心領域の回りに、導光回路としての光ファイバ６０３がリング状に巡らされている。
【００６９】
この場合、ペルチェモジュール３１の第１温度調整部３２は搭載基板１の中心領域に配置されている。このためペルチェモジュール３１が作動して吸熱部として機能できる第１温度調整部３２が吸熱作用を果たせば、搭載基板１における等しい温度を示す等温線は、搭載基板１の中心領域において最も低温であり、当該等温線は搭載基板１の中心領域（吸熱部として機能できる第１温度調整部３２）の回りに環状またはほぼ環状に形成されることになる。ペルチェモジュール３１が作動して放熱部として機能できる第１温度調整部３２が放熱作用を果たすときにおいても同様である。
【００７０】
従って、温度依存性が高い機能部品であるレーザダイオード６１０およびＷＤＭ６０２を搭載基板１の第２伝熱部材５２０に接触させるものの、温度依存性が少ない機能部品（レーザコリメータ６０１、反射鏡６１１、ＦＢＧ６０３、光ファイバ６０３等）を第２伝熱部材５２０の外方において搭載基板１の中心領域に回りにほぼ等温線に沿って配置すれば、温度依存性が少ない各機能部品における温度バラツキを低減しつつ、温度依存性が少ない各機能部品を温度調整することができる。
【００７１】
図９に示すように、搭載基板１の第２面１ｓ（表面）には、電気コネクタ２５に電気的に繋がる電気回路として導電配線７０が形成されている。導電配線７０は第１導電配線７１、第２導電配線７２および第３導電配線７３で形成されている。図９に示すように、第１導電配線７１はレーザダイオード６０１に電気的に接続されている。第２導電配線７２はペルチェモジュール３１の吸熱部として機能できる第１温度調整部３２の温度を測定する温度センサ（例えばサーミスタ）の温度検出部７６に電気的に接続されている。第３導電配線７３はペルチェモジュール３１の給電線３１ｘに電気的に接続されている。温度センサの温度検出部７６の信号は、第２導電配線７２およびコネクタ２５を介して制御装置に入力される。制御装置はこれに応じて第３導電配線７３およびペルチェモジュール３１の給電線３１ｘを介してペルチェモジュール３１の吸熱部として機能できる第１温度調整部３２を温度制御する。
【００７２】
本装置にはレーザダイオード６０１を制御する定電流源（図示せず）と、ペルチェモジュール３１を制御するドライバ回路（図示せず）とが電気コネクタ２５を介して接続されている。定電流源回路及びドライバ電源がONされると、ドライバ回路で設定された設定温度（例えば25℃）に対して、温度センサ３８の温度検出信号により搭載基板１の温度を監視しながら、制御装置はペルチェモジュール３１の作動を制御する。このとき、搭載基板１の伝熱部材５は熱絶縁されている。このため、より少ない熱容量で搭載部品の冷却が行われ、制御温度は一定温度（例えば25℃）に制御される。この場合、搭載部品を冷却するペルチェモジュール３１の放熱部として機能できる第２温度調整部３３は、吸熱部として機能できる第１温度調整部３２よりも相対的に高温となる。放熱部として機能できる第２温度調整部３３からの熱は矢印Ｍ１方向に移行し、放熱器４５、第２ケース２２を経由して外部に放出される。
【００７３】
本実施例によれば、電気経路である導電配線７０と、伝熱経路である伝熱部材５Ｅとが同一の搭載基板１に作成されている。このため本装置の小型に貢献できる。更に、薄い銅箔を伝熱経路として形成して伝熱部材５Ｅとして使用しているため、伝熱経路の熱容量が小さくなる。更に、搭載基板１において伝熱部材５Ｅを搭載基板１の基材としての熱絶縁材料（例えばガラスエポキシ材）で断熱しているので、伝熱経路の熱容量が小さくなる。この結果、熱効率が高い伝熱回路が形成できる。したがって一定温度になる時間が長時間（例えは2〜3時間）かかるような装置であっても、本実施例の構造を採用すれば、短時間（例えば2分〜7分程度）に短縮することができる。従って、温度依存性を受けやすい性能を有する光計測機器の分野では、本装置の電源をONにすると、計測が短時間で可能になるため、待ち時間を低減できる。
【００７４】
なお本実施例によれば、導光する光回路を搭載基板１に形成できるように、搭載基板１の材質をガラスエポキシ等の熱絶縁材料にすることができる。この場合、導光する導光回路を搭載基板１の内部に形成できる。このため、導光回路、電気回路、伝熱回路を一体化した温度依存の少ない高精度小型化装置の実現が可能である。
【実施例７】
【００７５】
図１０は実施例７を示す。本実施例は実施例６と基本的には同様の構成、作用効果を有する。伝熱性が良い材料で形成された放熱器４５が設けられている。放熱器４５の上面４５ｕには、ペルチェモジュール３１の放熱部として機能できる第２温度調整部３３が密着されて配置されている。これにより放熱器４５は、ペルチェモジュール３１を介して搭載基板１を第２ケース２２の底面である放熱面２２ｃから持ち上げた状態で支持している。従って放熱器４５は搭載基板１を支持する支持部材としての機能できる。更に本実施例では、第１ケース２１の内壁面には、搭載基板１の端部を支持する支持係合部２１ｒが設けられている。支持係合部２１ｒが搭載基板１の支持をアシストする。このため、搭載基板１に対して放熱器４５のサイズＳＡを小さくして小型化を図ることもできる。また、支持係合部２１ｒが設けられているため、搭載基板１の重量が増加しても、あるいは、搭載基板１のサイズが増加しても、搭載基板１を良好に保持できる。
【００７６】
なお、搭載基板１のサイズが増加するときには、実施例１のような脚部として機能する支持部材４を設けることにしても良い。
（他の実施例）
その他、本発明は上記しかつ図面に示した実施例のみに限定されるものではなく、要旨を逸脱しない範囲内で適宜変更して実施できる。例えば、機能部品と温度調整装置とが搭載基板の同じ面に設けられていても良い。上記した記載から次の技術的思想も把握できる。
（付記項）光学的または電気的な機能部品を有する搭載基板と搭載基板を内部に収容するケースとを具備する機能部品内蔵装置において、搭載基板は、熱絶縁材料を基材とする板状体と板状体の表面またはその内部に設けられ機能部品に直接的または間接的に熱接触する伝熱部材とを有しており、搭載基板の伝熱部材に直接的又は間接的に熱接触して伝熱部材を介して機能部品を加熱または冷却する温度調整装置が設けられており、且つ、ケースにより包囲されケースの内壁面に対して空間を介して搭載基板を離間させた状態で支持する支持部材が設けられている機能部品内蔵装置。ケースは熱絶縁性材料を基材としていても良いし、あるいは、熱絶縁性を有しない金属等を基材としていても良い。支持部材により搭載基板をケースの底面から持ち上げ、ケースの内壁面に対して搭載基板を離間させている。搭載基板は熱絶縁材料を基材とするため、伝熱経路は搭載基板の厚み方向である。故に、搭載基板の面方向の伝熱は抑制されている。従って温度調整装置により機能部品を迅速に温度調整できる。
【産業上の利用可能性】
【００７７】
本発明は光学部品（例えば発光源）、電気部品（電子部品を含む）等の機能部品を内蔵して温度調整する温度調整設備、温度調整機構に利用できる。
【図面の簡単な説明】
【００７８】
【図１】機能部品内蔵装置の断面図である。
【図２】伝熱部材付近の説明図である。
【図３】実施例２に係り、伝熱部材付近の断面図である。
【図４】実施例３に係り、機能部品内蔵装置の断面図である。
【図５】実施例４に係り、機能部品内蔵装置の断面図である。
【図６】伝熱部材付近の断面図である。
【図７】実施例５に係り、伝熱部材付近の断面図である。
【図８】実施例６に係り、機能部品内蔵装置の断面図である。
【図９】実施例６に係り、機能部品内蔵装置のと搭載基板の平面図である。
【図１０】実施例７に係り、機能部品内蔵装置の断面図である。
【符号の説明】
【００７９】
１は搭載基板、１０は板状体、２はケース、２１は第１ケース（熱絶縁部）、２２は第２ケース、３１はペルチェモジュール（温度調整装置）、３２は第１温度調整部（吸熱部）、３３は第２温度調整部（放熱部）、３５はヒータ（温度調整装置）、４５は放熱器（支持部材）、５は伝熱部材、５１は第１伝熱体、５２は第２伝熱体、５３は第３伝熱体、５４は第１伝熱膜、５５は第２伝熱膜、５６は第３伝熱膜、５１０は第１伝熱部材、５２０は第２伝熱部材、５３０は第３伝熱部材、６は機能部品、６０１はレーザダイオード、６０２はＷＤＭ、６０３は光ファイバ、６１０はレーザコリメータ、６１１は反射鏡を示す。
【図１】
2007123541.tif 000003
【図２】
2007123541.tif 000004
【図３】
2007123541.tif 000005
【図４】
2007123541.tif 000006
【図５】
2007123541.tif 000007
【図６】
2007123541.tif 000008
【図７】
2007123541.tif 000009
【図８】
2007123541.tif 000010
【図９】
2007123541.tif 000011
【図１０】
2007123541.tif 000012